(57)【要約】【課題】世界中で役に立たなくなると廃棄されるバドミントン用具を、無料の新資源として蚊蝿駆除袋と組合せ、飛翔中の害虫駆除用具として活用する。【解決手段】先端に捕獲室７を取り付けた蚊蝿駆除袋１１とバドミントン用具１５を組合せるため、ヘッド出入口１０よりハンドル、シャフトを挿入し、ハンドル穴８から外に出し、ヘッド９のみを収納し、更に内部で、ヘッド先端出入口折線Ｃからヘッド先端５をヘッド先端収納袋３に収容して蚊蝿駆除用具１５にして、飛翔中の蚊蝿を叩く、捕獲する。【選択図】図６
2010035539.tif 000002
【特許請求の範囲】
【請求項１】
世界中で役に立たなくなり廃棄されるバドミントン用具を、無料の新資源として人間の敵である蚊蝿を叩く、又は捕獲する目的に変更するため、バドミントン用具のヘッドをネット状の袋に入れて、通常のバドミントン用具の様に、ハンドルを握って使用することを特徴とする蚊蝿駆除用具。
【請求項２】
請求項１の袋は、蚊蝿を通過させず、空気が容易に通過する張りのあるネットを使用して、バドミントン用具のヘッドを、ヘッドの出入口から袋の内部にハンドルから挿入し、袋の下部に設けたハンドル穴から、ハンドル、シャフトを出し、ヘッドのみを収容する袋であり、更に袋の内部にヘッドの出入口から、ヘッドの先端が外部に出るのを阻止して収容する、ヘッドの出入口の逆向きの出入口を持つ袋を備えていることを特徴とする蚊蝿駆除用具。
【請求項３】
請求項１の袋の取付け、取外しは、小学生以上であれば１５秒以内で可能であり、一度取付けた袋はバドミントンのハンドルを握って、上下、左右、振り回しても、袋とバドミントン用具のヘッドが外れないことを特徴とする蚊蝿駆除用具。
【請求項４】
請求項１の袋の表側、裏側は同一形状で区別なく、室内外で蚊蝿を叩くためであるが、表側は主に室外で使用し、裏側は主に室内で、飛翔中の蚊蝿を叩き行方不明は衛生上問題があるため、裏側の袋の先端に捕獲室を作り、ハンドルを持って円形に振った際の円心力で、袋に当った蚊蝿を風と共に捕獲室に流入させ、風はネット側の外部に流出させて、蚊蝿のみ収容する２通りの使用を特徴とする蚊蝿駆除用具。
【発明の詳細な説明】
【技術分野】
【０００１】  本発明は休眠中又はガットの切れたバドミントン用具を、新用途として活用する蚊蝿駆除用具に関するものである。
【背景技術】
【０００２】  バドミントン用具は、世界中の家庭内等に、まだ使用可能、ガットが切れて使用不可能でも愛着のため保存されている数よりも、廃棄されたものは膨大な数量と推察される。【０００３】  蚊蝿対策にテレビでは、薬品の室内散布が放映され、誰もが長期使用での薬害が想定され、農薬散布同様、今後散布以外の方法が検討される時期が近づきつつあると考える。【０００４】  アフリカ飢餓で写し出される子供達の顔に群がる蝿を、なんとかしたいと見る側の人々は考えるが、薬品の散布だけは避けたい。【０００５】  夏場、野外の公衆便所の中は、蝿が飛び回っているのを誰もが目撃するが、薬品スプレーはアトピー症状の人のために避けるべきであり、叩く方式は床上に落下し踏み潰す事で衛生上問題もあり、昆虫ネットは大きすぎて、取り込んだ蝿の取り出しに時間がかかる。【０００６】  日常生活で、食事中紛れこんだ一匹の蝿のため、大騒ぎして、手、新聞、雑誌等で追い払うのが精一杯である。
【発明の開示】
【発明が解決しようとする課題】
【０００７】  室内外に、飛翔中の蚊蝿を叩き落すために、世界中の家庭内等に休眠中のもの、今後捨てられるであろう膨大な数のバドミントン用具の活用を案出するに至った。【０００８】  バドミントン用具は国際規格化されているので、世界中で休眠中、ガットの切れた状態、これから廃棄されるであろうバドミントン用具を新資源として同じ工作により、半永久的に使用出来る蚊蝿駆除用具として提供することである。【０００９】  室内での薬品の散布は、絶対に避けたい人のために、バドミントン用具を素早く、簡単に蚊蝿駆除用具に変えて提供することである。【００１０】  衛生上の問題で、室内の蚊蝿を叩いても、床上に落とさぬ蚊蝿駆除用具を提供することである。
【課題を解決するための手段】
【００１１】  世界中の休眠中、用なしと廃棄されるバドミントン用具を無料の新資源として、人間の敵である蚊蝿を叩く、又は捕獲する目的に変更するため、バドミントン用具のヘッドをネット状の袋に入れて、通常のバドミントン用具の様にハンドルを握って使用することを特徴とする。【００１２】  ００１１の袋は、蚊蝿を通過させず、空気が容易に通過する張りのあるネットを使用して、バドミントン用具のヘッドを、ヘッドの出入口から袋の内部にハンドルから挿入し、袋の下部に設けたハンドル穴から、ハンドル、シャトルを出し、ヘッドのみを収容することを特徴とする。【００１３】  ００１２の袋は、袋の内部にヘッドの出入口からヘッドの先端が、外部に出るのを阻止して収容する、ヘッドの出入口の逆向きの出入口を持つ袋を備えていることを特徴とする。【００１４】  ００１１の蚊蝿用袋の取付け、取外しは、小学生以上であれば１５秒以内で可能であり、一度取付けた袋はバドミントン用具のハンドルを握って、上下、左右、振り回しても、袋とバドミントン用具が外れないことを特徴とする。【００１５】  ００１１の袋の表側、裏側は同一形状で区別なく、室内外で蚊蝿を叩くためであるが、表側は主に室外で使用し、裏側は主に室内で飛翔中の蚊蝿を叩き、行方不明は衛生上問題があるため、裏側の袋の先端に捕獲室を作り、ハンドルを持って円形に振った際の円心力で、袋に当った蚊蝿を風と共に捕獲室に流入させ、風はネット側の外部に流出させて、蚊蝿のみ収容する２通りの使用を特徴とする。【００１６】  室内での薬品の散布は絶対に避けたい人のため、蚊蝿を捕獲することが衛生上人間のためであるとの認識で、飛翔中の蚊蝿に精神を集中することにより、ストレス解消に役立つ場合の特徴がある。
【発明の効果】
【００１７】  バドミントン用具は国際規格化されているので、世界中で休眠中、ガットの切れた状態、これから廃棄されるであろうバドミントン用具を無料の新資源として、同じ共通の工作により蚊蝿駆除用具となり、コスト削減に貢献する。【００１８】  バドミントン競技で使用中のバドミントン用具も、害虫駆除に使用し、又バドミントン競技に使用出来る便利性がある。【００１９】  バドミントン用具に、ネット状の袋と組合せて蚊蝿駆除用具とするが、小学生以上であれば、袋の取付け、取外しは１５秒以内で可能であり、一度取付けた袋はバドミントン用具のハンドルを握って、上下、左右、振り回しても、袋とバドミントン用具は外れない構造となっている。【００２０】  室内での薬品散布は絶対に避けたい人に、蚊蝿駆除用具を提供し、室内で蚊蝿を叩いても衛生上、床上に落とさぬ構造となっている。【００２１】  飛翔中の蚊蝿を叩き捕獲する行為は、集中力と迅速性が要求され、楽しい行為、真剣な行為にすれば、ストレス解消に役立つ場合がある。【００２２】  アフリカ飢餓で放映される子供達の顔に群がる蝿をなんとかしたいと見る側の誰もが思い、薬品の散布だけは避け、コストの安い蚊蝿対策用具の提供も一提案と考える。【００２３】  日常生活で室内に紛れこむ虫は、日常茶飯事であり、素早く衛生的に駆除出来る用具である。
【発明を実施するための最良の形態】
【００２４】  以下、本発明を実施するための最良の形態について説明する。
図１はガラスファイバー防虫網を標準サイズ、短辺部Ｊ、Ｊ′間６３０ｍｍ、長辺部Ｋ、Ｋ′間２５０ｍｍにカットした蚊蝿駆除袋１１の展開図で、図面上に決められた縫い線を縫い合わせて蚊蝿駆除袋１１となり、図２、３は、蚊蝿駆除袋１１にバドミントン用具のヘッド９を挿入した状態を、横中心線Ａの断面で概略的に画いた図である。ガラスファイバーの代りに、カットしてもファイバーが解けない合成樹脂、合成化学ファイバーでも良い。【００２５】  蚊蝿対策袋１１の製作順番を図１、２、３で説明する。
１番目は、ヘッド先端出入口折線Ｃを内側にして折り、縫線Ｄ、Ｄ′を一致させて縫い合わせる。
２番目は、ヘッド出入口折線Ｅを内側にして折り、縫線Ｆ、Ｆ′を一致させて縫い合わせる。
３番目は、ヘッド出入口折線Ｅ′を内側にして折り、縫線Ｇ、Ｇ′を一致させて縫い合わせる。
４番目は、Ａ面Ｂ面折線Ｂを折り、Ａ面１とＢ面２を２枚重ねにして、縫線Ｈ同士、縫線Ｉ同士を別々に一致させて縫い合わせる。
５番目は、Ａ面Ｂ面折線Ｂの中心に対角線３０ｍｍの正方形のハンドル穴８を設け、５工程で内部にヘッド先端出入口線Ｃのあるヘッド先端収容袋３を持った蚊蝿駆除袋１１が出来上がる。
ＤＤ′間、ＦＦ′間ＧＧ′間は２０ｍｍ、ＣＥ間は７０ｍｍ、ＨＩ間は２２０ｍｍとする。【００２６】  蚊蝿駆除袋１１にバドミントン用具のヘッド９の挿入方法の順番を図２、３で説明する。
１番目は、図２でヘッド出入口１０から蚊蝿駆除袋１１の内部に、ハンドルから先にハンドル穴８を通すと、ヘッド９のみ蚊蝿駆除袋１１に収容された状態になる。
２番目は、図２でヘッド出入口１０より手の指を差し入れ、内部のヘッド先端収容袋３のヘッド先端出入口折線Ｃをつまんで、ヘッド出入口１０の方に持ってゆき、ヘッド先端収容袋３の出入口を広げて、ヘッド先端５を収納した状態が図３である。【００２７】  ハンドルを握り、激しく蚊蝿駆除袋１１を振ると、内部で逆向きになっているヘッド先端収容袋３の出入口となっているヘッド先端出入口線Ｃが波打ってめくり上がり、ヘッド先端５が外れ、更にヘッド出入口１０より外部に出る場合がある。防止策は、ヘッド先端出入口線Ｃを厚くすれば、めくり上がらぬので、縫線Ｄ、Ｄ′を縫い合わせて２枚にして厚くし防止策とした。【００２８】  図４、図５は、室内で飛翔中の蚊蝿を叩き、行方不明は衛生上問題があるため、図４の梯形状の捕獲室材６を不織布又は合成紙で作り、図３の蚊蝿駆除袋１１の先端に捕獲室材６で作った捕獲室７を設置した状態が図５で、横中心線Ａの断面該略図である。【００２９】  図４の捕獲室材６の各辺の長さは、捕獲室辺部１４は２２０ｍｍ、上辺部１３は２７０ｍｍ、捕獲室辺部１４と上辺部１３間は７０ｍｍ、接着のりしろ４、４′の巾は１０ｍｍであるが、捕獲室辺部１４以外は上辺部１３を円形、多角形に、長さの変更も自由である。
捕獲室材６のりしろ４を縫線ＦＦ′とヘッド出入口線Ｅ間に、捕獲室材６のりしろ４′を縫線Ｈと長辺部Ｋ′間、縫線Ｉと長辺部Ｋ間に縫い合わせるか、ホッチキスで接着する。【００３０】  図６は蚊蝿駆除用具１２の斜視図である。
【図面の簡単な説明】
【００３１】
【図１】蚊蝿駆除袋の展開図。
【図２】蚊蝿駆除袋にバドミントン用具のヘッドを挿入した状態の横中心線の断面概略図。
【図３】蚊蝿駆除袋とバドミントン用具のヘッドを組合せた横中心線の断面概略図。
【図４】捕獲室材の展開図。
【図５】蚊蝿駆除袋に捕獲室を取付けた横中心線の断面概略図。
【図６】蚊蝿駆除用具の斜視図。
【符号の説明】
【００３２】１        Ａ面
２        Ｂ面
３        ヘッド先端収容袋
４、４′  捕獲室材接着用のりしろ
５        ヘッド先端
６        捕獲室材
７        捕獲室
８        ハンドル穴
９        ヘッド
１０      ヘッド出入口
１１      蚊蝿駆除袋
１２      蚊蝿駆除用具
１３      上辺部
１４      捕獲室辺部
１５      バドミントン用具
Ａ        横中心線
Ｂ        Ａ面Ｂ面折線
Ｃ        ヘッド先端出入口折線
Ｄ、Ｄ′  縫線
Ｅ、Ｅ′  ヘッド出入口折線
Ｆ、Ｆ′  縫線
Ｇ、Ｇ′  縫線
Ｈ        縫線
Ｉ        縫線
Ｊ、Ｊ′  短辺部
Ｋ、Ｋ′  長辺部
【図１】
2010035539.tif 000003
【図２】
2010035539.tif 000004
【図３】
2010035539.tif 000005
【図４】
2010035539.tif 000006
【図５】
2010035539.tif 000007
【図６】
2010035539.tif 000008